(57)【要約】【課題】外部撮像装置を遠隔操作して撮影を行う。【解決手段】被写体の像を撮像する撮像手段と、撮像手段により取得した画像を表示する表示手段と、撮像手段に撮像を行わせるための第１レリーズ操作部材と、少なくとも撮像部と通信部を有する外部撮像装置との間で通信を行う通信手段と、通信手段を介して外部撮像装置へレリーズ信号を送信して（Ｓ８）、撮像部に撮像を行わせるための第２レリーズ操作部材とを備える。【選択図】図９
2011172094.tif 000002
【特許請求の範囲】
【請求項１】
被写体の像を撮像する撮像手段と、
前記撮像手段により取得した画像を表示する表示手段と、
前記撮像手段に撮像を行わせるための第１レリーズ操作部材と、
少なくとも撮像部と通信部を有する外部撮像装置との間で通信を行う通信手段と、
前記通信手段を介して前記外部撮像装置へレリーズ信号を送信して、前記撮像部に撮像を行わせるための第２レリーズ操作部材とを備えることを特徴とする撮像装置。
【請求項２】
請求項１に記載の撮像装置において、
前記第１レリーズ操作部材と前記第２レリーズ操作部材とを近接して配置することを特徴とする撮像装置。
【請求項３】
請求項１または請求項２に記載の撮像装置において、
遠隔操作撮影モードの設定時に、前記通信手段を介して前記外部撮像装置から前記撮像部で撮像されたスルー画像を受信して前記表示手段に表示し、前記第２レリーズ操作部材が操作されると、前記通信手段を介して前記外部撮像装置へレリーズ信号を送信して前記撮像部に撮像を行わせる制御手段を備えることを特徴とする撮像装置。
【請求項４】
請求項３に記載の撮像装置において、
前記撮像手段による撮像範囲の拡大または縮小を調節するための拡縮操作部材を備え、
前記制御手段は、前記遠隔操作撮影モードの設定時に前記拡縮操作部材が操作されると、前記通信手段を介して前記外部撮像装置へ前記撮像部の撮像範囲の拡大または縮小を指示する信号を送信することを特徴とする撮像装置。
【請求項５】
請求項３または請求項４に記載の撮像装置において、
十字キー操作部材を備え、
前記制御手段は、前記遠隔操作撮影モードの設定時に前記十字キー操作部材がいずれかの方向へ操作されると、前記通信手段を介して前記外部撮像装置へ前記十字キー操作部材の操作方向に応じた撮影アングルを指示する信号を送信することを特徴とする撮像装置。
【請求項６】
被写体の像を撮像する撮像手段と、
画像を表示する表示手段と、
前記撮像手段に撮像を行わせるためのレリーズ操作部材と、
少なくとも撮像部と通信部を有する外部撮像装置との間で通信を行う通信手段と、
遠隔操作撮影モードの設定時に、前記通信手段を介して前記外部撮像装置へ前記撮像手段で撮像されたスルー画像を送信するとともに、前記外部撮像装置からレリーズ信号を受信したときに前記レリーズ操作部材の操作がなくても前記撮像手段により撮像を行う制御手段とを備えることを特徴とする撮像装置。
【請求項７】
請求項６に記載の撮像装置において、
前記制御手段は、前記遠隔操作撮影モードの設定時に、前記通信手段を介して前記外部撮像装置から前記撮像手段の撮像範囲の拡大または縮小を指示する信号を受信した場合は、前記表示手段に撮像範囲の拡大または縮小を指示する情報を表示することを特徴とする撮像装置。
【請求項８】
請求項６または請求項７に記載の撮像装置において、
前記制御手段は、前記遠隔操作撮影モードの設定時に、前記通信手段を介して前記外部撮像装置から撮影アングルを指示する信号を受信した場合は、前記表示手段に撮像アングルを指示する情報を表示することを特徴とする撮像装置。
【発明の詳細な説明】
【技術分野】
【０００１】
本発明は撮像装置に関する。
【背景技術】
【０００２】
複数のカメラで協調撮影を行うようにしたカメラシステムが知られている（例えば、特許文献１参照）。
【先行技術文献】
【特許文献】
【０００３】
【特許文献１】特開２００１−００８０８９号公報
【発明の概要】
【発明が解決しようとする課題】
【０００４】
しかしながら、上述したカメラシステムでは、一方のカメラから他方のカメラを直接操作することができないため、動きの速い被写体などを撮影する場合にはシャッターチャンスを逃がしてしまうことがある。
【課題を解決するための手段】
【０００５】
(１)  請求項１の発明は、被写体の像を撮像する撮像手段と、撮像手段により取得した画像を表示する表示手段と、撮像手段に撮像を行わせるための第１レリーズ操作部材と、少なくとも撮像部と通信部を有する外部撮像装置との間で通信を行う通信手段と、通信手段を介して外部撮像装置へレリーズ信号を送信して、撮像部に撮像を行わせるための第２レリーズ操作部材とを備える撮像装置である。
(２)  請求項２の発明は、請求項１に記載の撮像装置において、第１レリーズ操作部材と第２レリーズ操作部材とを近接して配置する。
(３)  請求項３の発明は、請求項１または請求項２に記載の撮像装置において、遠隔操作撮影モードの設定時に、通信手段を介して外部撮像装置から撮像部で撮像されたスルー画像を受信して表示手段に表示し、第２レリーズ操作部材が操作されると、通信手段を介して外部撮像装置へレリーズ信号を送信して撮像部に撮像を行わせる制御手段を備える。
(４)  請求項４の発明は、請求項３に記載の撮像装置において、撮像手段による撮像範囲の拡大または縮小を調節するための拡縮操作部材を備え、制御手段は、遠隔操作撮影モードの設定時に拡縮操作部材が操作されると、通信手段を介して外部撮像装置へ撮像部の撮像範囲の拡大または縮小を指示する信号を送信する。
(５)  請求項５の発明は、請求項３または請求項４に記載の撮像装置において、十字キー操作部材を備え、制御手段は、遠隔操作撮影モードの設定時に十字キー操作部材がいずれかの方向へ操作されると、通信手段を介して外部撮像装置へ十字キー操作部材の操作方向に応じた撮影アングルを指示する信号を送信する。
(６)  請求項６の発明は、被写体の像を撮像する撮像手段と、画像を表示する表示手段と、撮像手段に撮像を行わせるためのレリーズ操作部材と、少なくとも撮像部と通信部を有する外部撮像装置との間で通信を行う通信手段と、遠隔操作撮影モードの設定時に、通信手段を介して外部撮像装置へ撮像手段で撮像されたスルー画像を送信するとともに、外部撮像装置からレリーズ信号を受信したときにレリーズ操作部材の操作がなくても撮像手段により撮像を行う制御手段とを備える。
(７)  請求項７の発明は、請求項６に記載の撮像装置において、制御手段は、遠隔操作撮影モードの設定時に、通信手段を介して外部撮像装置から撮像手段の撮像範囲の拡大または縮小を指示する信号を受信した場合は、表示手段に撮像範囲の拡大または縮小を指示する情報を表示する。
(８)  請求項８の発明は、請求項６または請求項７に記載の撮像装置において、制御手段は、遠隔操作撮影モードの設定時に、通信手段を介して外部撮像装置から撮影アングルを指示する信号を受信した場合は、表示手段に撮像アングルを指示する情報を表示する。
【発明の効果】
【０００６】
本発明によれば、外部撮像装置を遠隔操作して的確に撮影を行うことができる。
【図面の簡単な説明】
【０００７】
【図１】一実施の形態の電子カメラの構成を示すブロック図
【図２】一実施の形態の電子カメラの背面図
【図３】一実施の形態の電子カメラの操作メニュー画面例を示す図
【図４】一実施の形態の電子カメラのペアリング成立条件設定画面例を示す図
【図５】一実施の形態の電子カメラのペアリング人物設定画面例を示す図
【図６】一実施の形態の電子カメラのフォルダ表示画面例を示す図
【図７】他の電子カメラのフォルダ表示画面例を示す図
【図８】一実施の形態の電子カメラのサムネイル一覧表示例を示す図
【図９】一実施の形態のリモコン撮影プログラムを示すフローチャート
【図１０】図９に続く、一実施の形態のリモコン撮影プログラムを示すフローチャート
【図１１】リモコン撮影時のモニタ表示例を示す図
【図１２】リモコン撮影時のモニタ表示例を示す図
【図１３】リモコン撮影時のズームガイドの表示例を示す図
【図１４】リモコン撮影時のズームガイドの表示例を示す図
【図１５】リモコン撮影時のズームガイドの表示例を示す図
【図１６】リモコン撮影時のアングルガイドの表示例を示す図
【図１７】リモコン撮影時のアングルガイドの表示例を示す図
【図１８】リモコン撮影時のアングルガイドの表示例を示す図
【図１９】リモコン撮影時のアングルガイドの表示例を示す図
【発明を実施するための形態】
【０００８】
本発明をデジタルスチルカメラ（以下、ＤＳＣまたは電子カメラと呼ぶ）の画像再生に適用した一実施の形態を説明する。この一実施の形態ではコンパクトタイプの電子カメラを例に挙げて説明するが、一眼レフレックスタイプや他の電子カメラであってもよい。図１は一実施の形態の電子カメラの構成を示すブロック図である。なお、電子カメラの画像再生に直接、関係のないカメラの機器および回路の図示と説明を省略する。
【０００９】
図１において、電子カメラ１は撮影光学系１１、撮像素子１２、ＡＦＥ(Analog Front End)回路１３、画像処理回路１４、スピーカ駆動回路１５、スピーカ１６、ＬＣＤモニタ１７、ＲＡＭ１８、フラッシュメモリ１９、ＣＰＵ（マイクロコンピュータ）２０、メモリカードインターフェース（Ｉ／Ｆ）２１、通信制御回路２２、操作部材２３、姿勢センサ２４、音声処理回路２５、マイク２６などを備えており、これらの機器および回路がバス２７を介して接続されている。なお、メモリカードインターフェース２１にはコネクタ（不図示）を介してメモリカード５１が装着される。
【００１０】
撮影光学系１１は単レンズとして図示しているが、ズームレンズやフォーカシングレンズを含む複数のレンズ群で構成され、被写体像を撮像素子１２の撮像面上に結像させる。撮像素子１２は受光面に複数の受光素子が二次元状に配列されたＣＭＯＳイメージセンサなどから構成され、撮影光学系１１により結像された被写体像を光電変換してアナログ画像信号を出力する。
【００１１】
ＡＦＥ回路１３はアナログ画像信号に対して相関二重サンプリングやゲイン調整などのアナログ処理を行うとともに、アナログ処理後の画像信号をデジタル画像データに変換する。画像処理回路１４はデジタル画像データに対して各種の画像処理（色補間処理、階調変換処理、輪郭強調処理、ホワイトバランス調整処理、画像圧縮処理、画像伸張処理など）を施す。
【００１２】
スピーカ駆動回路１５はＣＰＵ２０から送出された音声データから操作音、注意音、音声メッセージなどの音声再生信号を生成し、スピーカ１６を駆動して音声再生を行う。ＬＣＤモニタ１７は液晶パネルにより構成され、ＣＰＵ２０からの指示に応じて画像や操作メニュー画面などを表示する。ＲＡＭ１８はＣＰＵ２０のワークメモリとして使用されるとともに、画像処理回路１４による画像処理の前工程や後工程でのデジタル画像データを一時的に記憶する。フラッシュメモリ１９はＣＰＵ２０に実行させるプログラム（後述する画像再生プログラムを含む）を記憶する他に、後述する参照用データを記憶する。
【００１３】
ＣＰＵ２０は撮像、露出、焦点調節（ＡＦ）、画像表示などの電子カメラ１の各種動作を制御するとともに、後述する画像再生プログラムを実行して画像再生を制御する。この一実施の形態では、スルー画像のコントラスト情報に基づいてフォーカシングレンズ（不図示）の合焦位置を求めるコントラスト検出方式の焦点調節制御を行う。なお、スルー画像はライブビュー画像ともいい、撮影指示前に撮像素子１２によって所定の時間間隔（たとえば３０コマ／毎秒）で繰り返し取得されるモニタ用画像である。
【００１４】
メモリカードインターフェース２１はメモリカード５１に対する画像や各種情報データの書き込みや、メモリカード５１からの画像や各種情報データの読み込みを行う。この一実施の形態では半導体メモリを内蔵したメモリカード５１を例に挙げて説明するが、画像と各種情報データを記録するあらゆる種類の記録媒体を用いることができる。
【００１５】
通信制御回路２２は、アンテナ２２ａを介して他の電子カメラを含む外部機器との間で無線通信を行う。通信制御回路２２は、好適には、受信する信号の強度を測定したり、信号の送信範囲の制御行うための回路、例えば、ＲＳＳＩ(Received Signal Strength Indicator)回路を備えている。通信制御回路２２はまた、人体を介して通信を行う人体通信機能を備える。具体的には、電子カメラ１の背面図２に示すように、電子カメラ１の筐体の上下左右の面においてそれぞれ送受信用電極２２ｂ〜２２ｅが露出するように配設されている。電子カメラ１の使用者と、他の電子カメラの使用者とがそれぞれ少なくとも１つの送受信用電極に触れるように電子カメラ１を片手で把持し、両使用者が電子カメラ１を把持していない他方の手で互いに握手をすることによって人体および人体間の容量結合により閉回路が形成され、両人体をアンテナとして電子カメラ間の通信を行う（再表２００６／０５４７０６号公報）。なお、通信制御回路２２は、ＣＰＵ２０からの指示に応じてケーブルを介して通信を行う有線通信機能を備えてもよい。この場合、不図示の有線ＬＡＮポート等を有する。
【００１６】
操作部材２３には、電子カメラの背面図２に示すように、レリーズボタン２３ａ、ズームスイッチＴ２３ｂ、Ｗ２３ｃ、モードスイッチ２３ｄ、メニュースイッチ２３ｅ、削除スイッチ２３ｆ、十字スイッチ２３ｇ、ＯＫスイッチ２３ｈなどの各種スイッチ類が含まれる。操作部材２３は使用者のモード切替え操作やメニュー選択操作など、操作部材２３の操作に応じた信号をＣＰＵ２０へ送出する。
【００１７】
なお、ＯＫスイッチ２３ｈは、ペアリング関係にある他の電子カメラのレリーズボタンとしても用いられる。ペアリング関係にある他の電子カメラにリモコン撮影モードが設定されている場合にＯＫスイッチ２３ｈが押下操作されると、通信制御回路２２を介してレリーズ信号が当該電子カメラに送られ、当該電子カメラで撮影動作が実行される。
【００１８】
姿勢センサ２４は重力の方向を検出し、ＣＰＵ２０は姿勢センサ２４により検出された重力方向により電子カメラ１の撮影姿勢を判定する。具体的には、電子カメラ１の縦位置および横位置の撮影姿勢のみならず、電子カメラ１の天地の向きも判定する。音声処理回路２５はマイク２６により集音した音声信号を増幅し、増幅後の信号をＡ／Ｄ変換回路（不図示）によってデジタル音声データに変換する。照明装置２８は夜間等の撮影時に被写体を照明するための装置である。電源回路２９は、電池５２の電源電圧を所定電圧に変換して電子カメラ１のＣＰＵ２０などの機器および回路へ供給する。レンズ駆動回路３０は、撮影レンズ１１のズームレンズを駆動して焦点距離を調節するとともに、撮影レンズ１１のフォーカシングレンズを駆動して焦点調節を行う。
【００１９】
電子カメラ１のＣＰＵ２０は電子カメラ１と略同様の構成を有する他の電子カメラとの間で通信を行い、複数のカメラで協調撮影可能な状態（以下、ペアリング状態と呼ぶ）を確立する。具体的には、電子カメラ１および他の電子カメラの内の一方から他方へコマンドおよびデータを送信し、これを受信した電子カメラがコマンド送信元の電子カメラへ返信して通信を確立後、後述する所定の条件を満たすことによってペアリング状態を成立させる。
【００２０】
このようなペアリングを行うペアリング撮影モードと、ペアリングを行わない通常撮影モードとは切り替え可能に構成される。このモード切り替えは、例えばモードスイッチ２３ｄの押下操作に応じて切り替えてもよいし、メニュースイッチ２３ｅの押下操作に応じて表示する「操作メニュー」画面の中で切り替えを行うようにしてもよい。
【００２１】
この一実施の形態では、「通常」、「顔識別」、「握手」、「カメラタッチ」の４種類のペアリング成立条件の中から、使用者がいずれかを選択することができる。ペアリング成立条件を選択する処理は、他の電子カメラとの間で通信を行う前に、ＣＰＵ２０によって以下の手順で行われる。メニュースイッチ２３ｅが押下操作されると、図３に示す「操作メニュー」画面をＬＣＤモニタ１７に表示する。「操作メニュー」には、複数の選択項目、例えば、「登録撮影」項目１７１、「ペアリング成立条件設定」項目１７２、「ペアリングオフタイマー」項目１７３および「ペアリング人物設定」項目１７４が含まれる。「操作メニュー」画面を表示中に十字スイッチ２３ｇが上下方向に押下操作されると、操作信号に応じて選択項目を上下に変更する。「ペアリング成立条件設定」項目１７２を選択した状態で十字スイッチ２３ｇが決定方向（右決定）に押下操作されると、図４に示す「ペアリング成立条件設定」画面をＬＣＤモニタ１７に表示する。
【００２２】
図４において、４種類の「ペアリング成立条件」、すなわち「通常」項目１７６、「顔識別」項目１７７、「握手」項目１７８および「カメラタッチ」項目１７９が表示される。図４に示す画面を表示中に十字スイッチ２３ｇが上下方向に押下操作されると、操作信号に応じて選択項目を上下に変更する。そして、十字スイッチ２３ｇが決定方向（右決定）に押下操作されると、その時点において選択している項目をペアリング成立条件として設定する。
【００２３】
ペアリング成立条件が「通常」に設定された場合は、他の電子カメラとの間の通信確立を条件にペアリングを成立させる。通信制御回路２２は、所定範囲（たとえば、１０ｍ）で通信を行うようにあらかじめ送信電力が設定されている。なお、この送信電力はメニュー操作によって例えば３ｍ、５０cmへ段階的に通信範囲を制限できるように構成されている。「通常」の条件でペアリングが成立した場合には、最初にコマンドおよびデータを送信した側の電子カメラを親機とし、それを受信した側の電子カメラを子機とする。
【００２４】
また、ペアリング成立条件が「顔識別」に設定された場合には、他の電子カメラとの間の通信確立後、スルー画像に含まれる人物の顔を検出して所定人物の顔か否かを識別し、所定人物の顔が識別されたことを条件にペアリングを成立させる。「顔識別」の条件でペアリングが成立した場合には、顔識別を行った側の電子カメラを親機とし、顔識別された側の電子カメラを子機とする。
【００２５】
ペアリングを成立させる所定人物の設定は、他の電子カメラとの間で通信を行う前に、あらかじめＣＰＵ２０によって以下のように行われる。図３に示す「操作メニュー」画面を表示中に、「ペアリング人物設定」項目１７４を選択した状態で十字スイッチ２３ｇが決定方向（右決定）に押下操作されると、図５に示す「ペアリング人物設定」画面をＬＣＤモニタ１７に表示する。そして、フラッシュメモリ１９内に記録（登録）されているすべての参照用データの中から「顔」のサムネイル画像データを読み出し、当該サムネイル画像を表示する。参照用データは、「顔」のサムネイル画像データと、当該画像データに基づいて生成された特徴量データとを含む。特徴量データは、上記「顔識別」に用いられる。「顔識別」に用いる参照用データは、あらかじめフラッシュメモリ１９内に記録（登録）されている。
【００２６】
図５において、人物Ａ、人物Ｂ、および人物Ｃについての「顔」のサムネイル画像がそれぞれ表示されている。各サムネイル画像の左側には、それぞれチェックボックスが表示される。たとえば、サムネイル画像１７１の左側にはチェックボックス１７２が表示される。
【００２７】
「ペアリング人物設定」画面を表示中に十字スイッチ２３ｇが選択方向（上下方向）に押下操作されると、操作信号に応じてカーソル１７３の表示位置を上下に移動する。ＯＫスイッチ２３ｈが押下操作された場合、カーソル１７３で囲まれているチェックボックス内にチェックマークを表示する。次に、チェックボックスにチェックマークを表示した状態でＯＫスイッチ２３ｈが押下操作されると、当該チェックボックスのチェックマークを消す。そして、「ペアリング人物設定」画面の中でチェックマークで示されるサムネイル画像の「顔」を識別対象として設定する。
【００２８】
また、ペアリング成立条件が「握手」に設定された場合、他の電子カメラとの間の通信確立後、上記人体通信によるデータ受信を条件にペアリングを成立させる。上述したように、通信確立した電子カメラ１および他の電子カメラの双方の使用者どうしの握手により閉回路が形成され、電子カメラどうしが所定のデータを送受してペアリングを成立させる。「握手」の条件でペアリングが成立した場合には、握手による閉回路で最初にコマンドおよびデータを送信した側の電子カメラを親機とし、それを受信した側の電子カメラを子機とする。
【００２９】
さらに、ペアリング成立条件が「カメラタッチ」に設定された場合、他の電子カメラとの間の通信確立後、電子カメラ間の直接接触を条件にペアリングを成立させる。上述したように、電子カメラ１の筐体の上下左右の面にはそれぞれ送受信用電極２２ｂ〜２２ｅが露出して配設されている（図２参照）。電子カメラどうしがこれら送受信用電極２２ｂ〜２２ｅのいずれかで直接接触する場合、人体を介する人体通信時に比べて閉回路のインピーダンスが低いため、大きな電流が流れる。通信制御回路２２を通してこの信号電流の発生を検知することによって、電子カメラ相互の接触を判定する。なお、通信制御回路２２は送受信用電極２２ｂ〜２２ｅの内のどの電極で接触したかを特定してＣＰＵ２０へ報知する。電子カメラどうしの接触した電極の位置関係に基づいて接触時にどちらの電子カメラが上側になっていたかを判定し、上側になっていた電子カメラを親機とし、下側になっていた電子カメラを子機とする。
【００３０】
いずれかの条件でペアリングが成立した場合には、ペアリングにおける親機および子機はいずれも電子カメラのＩＤなどの識別情報によりペアリング相手を管理するとともに、親機の時刻に子機の時刻を合わせる時刻合わせを行う。そして、時刻合わせのなされた親機と子機とは、ペアリング成立時、計時をそれぞれ開始する。
【００３１】
ペアリング成立中は、あらかじめ共有設定をしたファイルフォルダについて、その内容を相手側の電子カメラから無線通信を介して閲覧可能とする。図６は、「親機」であるＸさんの電子カメラ１のＬＣＤモニタ１７に表示された「フォルダ表示」画面の例である。図６には自分（Ｘさん）のカメラ内のフォルダが表示されている。「自分のカメラ」側の「ペアフォルダ」は、ペアリング成立中にペアリング相手（本例では子機であるＢさんの電子カメラ）に閲覧を許可するフォルダである。「自分のカメラ」側の「ペアフォルダ」内に記録されている画像ファイルは、無線通信を介して子機であるＢさんの電子カメラから閲覧できる。
【００３２】
図６にはまた、子機であるＢさんの電子カメラ内のフォルダも表示されている。「Ｂさんのカメラ」側の「ペアフォルダ」は、ペアリング成立中にペアリング相手（本例では親機であるＸさんの電子カメラ）に閲覧を許可するフォルダである。
【００３３】
図７は、子機であるＢさんの電子カメラのＬＣＤモニタに表示された「フォルダ表示」画面の例である。図７には自分（Ｂさん）のカメラ内のフォルダが表示されている。「自分のカメラ」側の「ペアフォルダ」は、ペアリング成立中にペアリング相手（本例では親機であるＸさんの電子カメラ）に閲覧を許可するフォルダである。「自分のカメラ」側の「ペアフォルダ」内に記録されている画像ファイルは、無線通信を介して親機であるＸさんの電子カメラから閲覧できる。
【００３４】
図７にはまた、親機であるＸさんの電子カメラ１内のフォルダも表示されている。「Ｘさんのカメラ」側の「ペアフォルダ」は、ペアリング成立中にペアリング相手（本例では子機であるＢさんの電子カメラ）に閲覧を許可するフォルダである。
【００３５】
なお、ペアホルダは、他の電子カメラとの間でペアリング関係が成立し、該電子カメラとペアリング撮影を行うごとに生成される。そのため、ペアホルダが複数組存在する場合も当然あり得る。複数のペアホルダにおいて、ペアリング相手が共通の場合もあるし異なる場合もあり、また同じペアリング相手であっても異なる撮影時刻（撮影年月日を含む）の場合もある。ペアホルダのプロパティには、ペアリング相手の識別情報、撮影時刻情報、フォルダ共有設定情報などが記録されている。
【００３６】
ペアリング成立中の電子カメラは、「自分のカメラ」側のすべてのフォルダと、ペアリング相手である「○○さんのカメラ」側の「ペアフォルダ」とを閲覧できる。フォルダ選択操作（十字スイッチ２３ｇの押下操作で選択し、ＯＫスイッチ２３ｈの押下操作で決定）が行われた場合には、選択決定したフォルダ内の画像ファイルによるサムネイル画像をＬＣＤモニタ１７に表示する。
【００３７】
図８はサムネイル一覧表示例を示す図である。複数のサムネイルの内の１つにカーソル１３１が表示されている。カーソル位置はサムネイル選択操作（十字スイッチ２３ｇの押下操作）で上下左右に移動自在である。ＯＫスイッチ２３ｈが押下操作された場合に、その時点でカーソルが位置するサムネイル画像に対応する再生画像をＬＣＤモニタ１７にフルスクリーン表示する。
【００３８】
次に、ペアリング時の撮影動作について説明する。ペアリング成立中にレリーズボタン２３ａ（図２参照）の操作があると、ＣＰＵ２０は撮影動作を実行する。ペアリング撮影時には、ペアリング関係にある複数の電子カメラで同じ被写体を撮影するが、似たような画像にならないように互いに通信を行って撮影条件を少しずつ異ならせる。例えば、一方の電子カメラが広角に設定された場合には、他方の電子カメラを自動的に望遠に設定し、ズーム比がある程度異なるようにする。この場合、電子カメラどうしの通信によりズーム比の高いレンズを備えた電子カメラを望遠に設定し、より広角側の撮影が可能なレンズを備えた電子カメラを広角に設定する。そして、広角側の方が色情報が多いことから、ホワイトバランス制御は広角側の電子カメラの画像に基づいて行うとともに、その情報を望遠側の電子カメラにフィードバックし、共通のホワイトバランス制御を実行する。
【００３９】
また、ペアリング関係にある複数の電子カメラ間で感度とシャッター速度を制御し、一方の電子カメラに高速のシャッター速度を設定するとともに、他方の電子カメラに低速のシャッター速度を設定し、動きのある被写体などを異なる趣で同時に撮影する。ポートレート撮影では、ある程度異なるアングルから撮影できるように撮影のガイドを行う。すなわち、スルー画像において顔認識を行い、右斜め前と左斜め前、あるいは正面と横など、それぞれ異なるアングルとなるように音声およびモニタ画像によるガイダンスを行う。
【００４０】
さらに、ペアリング撮影時にはペアリング関係にある複数の電子カメラ間で通信を行って相互に撮影を行う。つまり、互いに撮影時刻をずらして撮影を行うことで長時間の撮影を可能にする。動画撮影の場合には、一方の電子カメラで動画撮影を行った後、引き続いて他方の電子カメラで動画撮影を行うことによって、互いにキャッチボールしながら動画撮影を行い、撮影アングルの異なる動画を連続的に撮影することができる。同様に静止画撮影においても、一方の電子カメラで一枚または複数枚の静止画撮影を行った後、引き続いて他方の電子カメラで一枚または複数枚の静止画撮影を行うことによって、互いにキャッチボールをしながら複数枚の静止画撮影を行い、再生時に複数の電子カメラで撮影した一連の画像のスライドショーを提供することができる。
【００４１】
次に、ＣＰＵ２０はペアリング成立中に撮影した画像の記録動作を実行する。撮影処理前の情報および撮影処理で取得した画像データに基づいて、画像データおよび撮影情報を含むＥｘｉｆ形式の画像ファイルを生成する。Ｅｘｉｆ形式の画像ファイルは、ＪＰＥＧ画像フォーマットの画像データ内にサムネイル画像や撮影情報などのデータを埋め込むようにしたものであり、この画像ファイルをメモリカード５１へ記録する。
【００４２】
Ｅｘｉｆ型式の画像ファイルの構造は、画像の付属情報を記録するヘッダ領域と撮影画像データを記録する画像データ領域とを有する。ＣＰＵ２０は、画像ファイル内のヘッダ領域（タグ領域）に、ペアリング成立中に撮影した画像であることを示す情報を記録する。ペアリング成立中に撮影した画像であることを示す情報は、ペアリングの相手の識別情報（カメラＩＤなど）および時刻合わせ後の計時に基づく撮影時刻情報を含む。なお、ペアリング成立中に撮影した画像であることを示す情報は、画像ファイルのヘッダ領域に記録する代わりに、画像ファイルに関連付けた別ファイルとして記録してもよい。
【００４３】
次に、２台の電子カメラ１による遠隔操作撮影（以下、リモコン(Remote Control)撮影という）について説明する。なお、この一実施の形態では図１に示す電子カメラ１を２台用いてリモコン撮影を行う例を示すが、上記電子カメラ１と同様な機能を有する電子カメラであれば同様にリモコン撮影を行うことができる。
【００４４】
リモコン撮影は、他の電子カメラ１との間で上述したいずれかのペアリング成立条件を満たし、ペアリング関係が成立して電子カメラ１のＩＤなどの識別情報によりペアリング相手を識別可能な状態にあり、ペアリング成立時に決定された親機の時刻に子機の時刻を合わせる時刻合わせが完了している状態で行う。
【００４５】
図９〜図１０は、親機と子機の電子カメラ１のＣＰＵ２０で実行されるリモコン撮影プログラムを示すフローチャートである。電子カメラ１のＣＰＵ２０は、所定時間ごとにこのリモコン撮影プログラムを実行する。親機または子機の電子カメラ１において、図３に示す操作メニュー画面からリモコン撮影モードが選択され、ＯＫスイッチ２３ｈの押下操作があると、上述した他の電子カメラ１との間のペアリング関係の成立を条件にリモコン撮影モードが設定される。
【００４６】
なお、この一実施の形態では他の電子カメラ１との間でペアリング関係が成立している状態でリモコン撮影を実行する例を示すが、他の電子カメラ１との間でペアリング関係が成立していない状態でリモコン撮影モードを設定した場合には、他の電子カメラ１との間で上述したいずれかのペアリング成立条件の処理を行い、ペアリング成立を条件にリモコン撮影モードを設定する。
【００４７】
ステップ１においてリモコン撮影モードが設定されたか否かを確認し、設定された場合はステップ２へ進む。ステップ２では通信制御回路２２を介してリモコン撮影の要求コマンドをペアリング相手の電子カメラ１、すなわち遠隔操作対象（リモコン対象）の電子カメラ１へ送信する。この要求コマンドには自身の電子カメラ１の識別情報が含まれており、要求コマンドを受信した電子カメラ１のＣＰＵ２０はリモコン撮影を要求しているのがペアリング相手か否かを確認することができる。
【００４８】
ステップ３でペアリング相手の電子カメラ１（リモコン対象の電子カメラ）からリモコン撮影要求に対する受諾信号を受信したか否かを確認し、受諾信号を受信したらステップ４へ進む。この受諾信号にはペアリング相手の電子カメラ１の識別信号が含まれており、リモコン撮影を要求した電子カメラ１のＣＰＵ２０はリモコン撮影要求を受諾したのがペアリング相手か否かを確認することができる。
【００４９】
ステップ４において、通信制御回路２２によりペアリング相手（遠隔操作対象）の電子カメラ１で撮影されたスルー画像の受信を開始し、ＬＣＤモニタ１７にペアリング相手の電子カメラ１のスルー画像の表示を開始する。
【００５０】
図１１は、ＬＣＤモニタ１７に表示されたペアリング相手の電子カメラ１で撮影されたスルー画像を示す。ペアリング相手からリモコン撮影要求の受諾信号を受信した場合には、スルー画像に重畳して「リモコンＯＫ」の表示を行う。なお、詳細を後述するが、ペアリング相手の都合によりリモコン撮影要求に対する拒否信号が受信された場合には、図１２に示すようにＬＣＤモニタ１７に「リモコンＮＧ］の表示を行う。
【００５１】
ステップ５ではリモコン撮影ガイド機能が有効になっているか否かを確認し、有効になっている場合はステップ６でリモコン撮影ガイド処理を実行し、リモコン撮影ガイド機能が有効になっていない場合はステップ７へ進む。以下のリモコン撮影ガイドでは、ＬＣＤモニタ１７により表示ガイドを行うとともに、スピーカ駆動回路１５とスピーカ１６により音声ガイドを行う。
【００５２】
リモコン撮影ガイドでは、ペアリング相手の撮影者、すなわちリモコン対象の電子カメラ１を保持する撮影者に対しズームガイドとアングルガイドを行う。まず、リモコンズームガイドについて説明する。このリモコンズームガイドは、リモコン撮影を行う撮影者、すなわちリモコン撮影者がリモコン対象の電子カメラ１で撮影される被写体の大きさを遠隔指示するものである。
【００５３】
リモコン撮影者がＬＣＤモニタ１７に表示されたリモコン対象の電子カメラ１のスルー画像を見ながらズームスイッチＷ２３ｃ（図２参照）を操作すると、通信制御回路２２を介してズームアップ信号が送信される。リモコン対象の電子カメラ１はこのズームアップ信号を受信し、ＬＣＤモニタ１７に「ズームＵＰ」表示を行う。
【００５４】
図１３に、ペアリング相手（リモコン対象）の電子カメラ１のＬＣＤモニタ１７に表示されたスルー画像と「ズームＵＰ」の表示例を示す。ペアリング相手の撮影者は、自身の電子カメラ１（リモコン対象の電子カメラ１）のＬＣＤモニタ１７に「ズームＵＰ」が表示された場合には、被写体に接近して撮影するか、または電子カメラ１のズームスイッチＷ２３ｃを操作し、ズームアップを行う。リモコン撮影者はリモコン対象の電子カメラ１から送られたスルー画像を確認し、さらにもう少し被写体を大きく撮影したい場合はもう一度ズームスイッチＷ２３ｃを押下操作し、被写体の大きさが十分であればＯＫスイッチ２３ｈを押下操作する。
【００５５】
リモコン撮影者の操作内容は通信制御回路２２を介してズームアップ信号またはＯＫ信号としてリモコン対象の電子カメラ１に送られ、リモコン対象の電子カメラ１はズームアップ信号を受信した場合はＬＣＤモニタ１７に図１３に示すように「ズームＵＰ」表示を行い、ＯＫ信号を受信した場合はＬＣＤモニタ１７に図１５に示すように「ＯＫ」表示を行う。
【００５６】
同様に、リモコン撮影者がＬＣＤモニタ１７に表示されたリモコン対象の電子カメラ１のスルー画像を見ながらズームスイッチＴ２３ｂ（図２参照）を操作すると、通信制御回路２２を介してズームダウン信号が送信される。リモコン対象の電子カメラ１はこのズームダウン信号を受信し、ＬＣＤモニタ１７に「ズームＤＯＷＮ」表示を行う。
【００５７】
図１４に、ペアリング相手（リモコン対象）の電子カメラ１のＬＣＤモニタ１７に表示されたスルー画像と「ズームＤＯＷＮ」の表示例を示す。ペアリング相手の撮影者は、自身の電子カメラ１（リモコン対象の電子カメラ１）のＬＣＤモニタ１７に「ズームＤＯＷＮ」が表示された場合には、被写体から離れて撮影するか、または電子カメラ１のズームスイッチＴ２３ｂを操作し、ズームダウンを行う。リモコン撮影者はリモコン対象の電子カメラ１から送られたスルー画像を確認し、さらにもう少し被写体を小さく撮影したい場合はもう一度ズームスイッチＴ２３ｂを押下操作し、被写体の大きさが十分であればＯＫスイッチ２３ｈを押下操作する。
【００５８】
リモコン撮影者の操作内容は通信制御回路２２を介してズームダウン信号またはＯＫ信号としてリモコン対象の電子カメラ１に送られ、リモコン対象の電子カメラ１はズームダウン信号を受信した場合はＬＣＤモニタ１７に図１４に示すように「ズームＤＯＷＮ」表示を行い、ＯＫ信号を受信した場合はＬＣＤモニタ１７に図１５に示すように「ＯＫ」表示を行う。このリモコンズームガイドによって、リモコン撮影者が意図する被写体人物の撮影画角をリモコン対象の電子カメラ１の撮影者に的確に指示することができる。
【００５９】
なお、リモコン対象の電子カメラ１において、リモコン撮影者の電子カメラ１から送られたズームアップ信号またはズームダウン信号にしたがって直接、レンズ駆動回路３０により撮影光学系１１のズームレンズを調節し、ズームアップまたはズームダウンを行うようにしてもよい。
【００６０】
次に、リモコンアングルガイドについて説明する。このリモコンアングルガイドは、リモコン撮影者がリモコン対象の電子カメラ１で撮影される被写体の撮影アングルを遠隔指示するものである。
【００６１】
電子カメラ１のＣＰＵ２０は、ＬＣＤモニタ１７に表示されたリモコン対象の電子カメラ１で撮影されたスルー画像に対して顔検出処理を行い、顔を検出した場合は顔領域であることを示す枠をスルー画像に重畳して表示する。そして、顔領域のデータから得られる顔の輪郭と目鼻との位置関係に基づいて現在の撮影方向、すなわち人物を正面から見た画像か、人物を右側または左側から見た画像かなどを判定し、リモコン対象の電子カメラ１を保持する撮影者を導く方向をリモコン対象の電子カメラ１のＬＣＤモニタ１７にガイド表示する。
【００６２】
リモコン撮影者がＬＣＤモニタ１７に表示されたリモコン対象の電子カメラ１のスルー画像を見ながら、リモコン対象の電子カメラ１の撮影者に対して被写体人物の左側に回って電子カメラ１を構える指示を与えるために、電子カメラ１の十字スイッチ２３ｇの左側を押下操作すると、左側への移動指示信号が通信制御回路２２を介してリモコン対象の電子カメラ１へ送信される。この左側への移動指示信号を受信したリモコン対象の電子カメラ１のＣＰＵ２０は、図１６に示すように、ＬＣＤモニタ１７に表示中の人物像に重畳して「アングルガイド」を点滅させるとともに、撮影アングルの目安となる右向きの顔アイコンを表示し、左方向への移動を指示する矢印を表示する。
【００６３】
リモコン対象の電子カメラ１を保持する撮影者が被写体人物の左側へ移動し、スルー画像中の人物像が顔アイコンと同じような撮影アングルとなったときに、リモコン撮影者が自身の電子カメラ１のＯＫスイッチ２３ｈを押下操作すると、ＯＫ信号が通信制御回路２２を介してリモコン対象の電子カメラ１へ送信される。このＯＫ信号を受信したリモコン対象の電子カメラ１のＣＰＵ２０は、図１７に示すように、ＬＣＤモニタ１７に表示中の人物像に重畳して「ＯＫ」マークを表示する。
【００６４】
同様に、リモコン撮影者がＬＣＤモニタ１７に表示されたリモコン対象の電子カメラ１のスルー画像を見ながら、リモコン対象の電子カメラ１の撮影者に対して被写体人物の右側に回って電子カメラ１を構える指示を与えるために、電子カメラ１の十字スイッチ２３ｇの右側を押下操作すると、右側への移動指示信号が通信制御回路２２を介してリモコン対象の電子カメラ１へ送信される。この右側への移動指示信号を受信したリモコン対象の電子カメラ１のＣＰＵ２０は、図１８に示すように、ＬＣＤモニタ１７に表示中の人物像に重畳して「アングルガイド」を点滅させるとともに、撮影アングルの目安となる左向きの顔アイコンを表示し、右方向への移動を指示する矢印を表示する。
【００６５】
リモコン対象の電子カメラ１を保持する撮影者が被写体人物の右側へ移動し、スルー画像中の人物像が顔アイコンと同じような撮影アングルとなったときに、リモコン撮影者が自身の電子カメラのＯＫスイッチ２３ｈを押下操作すると、ＯＫ信号が通信制御回路２２を介してリモコン対象の電子カメラ１へ送信される。このＯＫ信号を受信したリモコン対象の電子カメラ１のＣＰＵ２０は、図１９に示すように、ＬＣＤモニタ１７に表示中の人物像に重畳して「ＯＫ」マークを表示する。このリモコンアングルガイドによって、リモコン撮影者が意図する被写体人物の撮影アングルをリモコン対象の電子カメラ１の撮影者に的確に指示することができる。
【００６６】
なお、上述したリモコンアングルガイドでは被写体人物の左右への移動を指示する例を示したが、被写体人物を上からまたは下から撮影するアングルを指示する場合には、リモコン撮影者が十字スイッチ２３ｇの上側または下側を押下操作することによって上への移動信号または下への移動信号がリモコン対象の電子カメラ１へ送信される。そして、それらの信号を受信したリモコン対象の電子カメラ１のＣＰＵ２０は、ＬＣＤモニタ１７のスルー画像に重畳して「アングルガイド」を点滅させるとともに、撮影アングルの目安となる上向きまたは下向きの顔アイコンを表示し、上または下への移動を指示する矢印を表示する。
【００６７】
また、スルー画像から人物の顔が検出されず被写体が人物でない場合には、顔アイコンの表示を行わず、リモコン撮影者の十字スイッチ２３ｇの左右上下の押下方向に対応する信号をリモコン対象の電子カメラ１へ送信し、この信号に対応する矢印をリモコン対象の電子カメラ１のＬＣＤモニタ１７に表示する。
【００６８】
リモコンガイド処理が終了したらステップ７へ進み、リモコン撮影者がＯＫスイッチ２３ｈを操作したか否かを確認する。この一実施の形態では、他の電子カメラ１との間でペアリング関係が成立し、かつ自身の電子カメラ１にリモコン撮影モードが設定されている場合には、ＯＫスイッチ２３ｈをリモコン対象の電子カメラ１のレリーズボタンとして用いる。
【００６９】
なお、ＯＫスイッチ２３ｈ以外のスイッチをリモコン専用のレリーズボタンとして用いてもよい。あるいは、自身の電子カメラ１のレリーズボタン２３ａに並べて、あるいはその近傍に、リモコン専用のレリーズボタンを新たに設けてもよい。この場合には、リモコン撮影者は  自身の電子カメラ１のレリーズボタン２３ａとリモコン専用のレリーズボタンとを人差し指で同時に押下操作することができる。
【００７０】
リモコン撮影者が自身の電子カメラ１のＯＫスイッチ２３ｈを押下操作してリモート・レリーズしていない場合はステップ１３へ進み、リモコン撮影ガイド処理が終了してから所定時間が経過したか否かを判別し、所定時間が経過していないときはステップ７へ戻ってリモート・レリーズの再確認を行い、所定時間が経過したときはステップ１４へ進む。ステップ１４ではリモート撮影モードの設定を解除し、続くステップ１５でリモコン対象の電子カメラ１からのスルー画像の受信を終了するとともに、ＬＣＤモニタ１７へのスルー画像の表示を終了し、ステップ１６で通信制御回路２２を介してリモコン対象の電子カメラ１へリモコン撮影終了信号を送信する。
【００７１】
一方、リモート・レリーズがなされた場合はステップ８へ進み、通信制御回路２２を介してリモコン対象の電子カメラ１へレリーズ信号を送信する。なお、リモコン専用のレリーズボタンであるＯＫスイッチ２３ｈと、レリーズボタン２３ａとが同時に押下操作された場合には、リモコン対象の電子カメラ１へレリーズ信号を送信するとともに、自身の電子カメラ１において所定の自動露出演算（ＡＥ）および自動焦点調節（ＡＦ）を行った後、撮像素子１２（図１参照）により撮像を行う。
【００７２】
なお、レリーズ信号を受信したリモコン対象の電子カメラ１のＣＰＵ２０が、レリーズ信号にしたがって撮像動作を実行するときに、手ブレ検知センサ（不図示）により手ブレが検知された場合には、リモコン撮影不可信号をリモコン側の電子カメラ１へ送信する構成としてもよい。このリモコン撮影不可信号を受信したリモコン側の電子カメラ１のＣＰＵ２０は、ＬＣＤモニタ１７に図１２に示すように「リモコンＮＧ」を表示する。
【００７３】
ステップ９ではリモコン対象の電子カメラ１で撮影された画像を通信制御回路２２を介して受信し、ＬＣＤモニタ１７に表示する。なお、リモコン対象の電子カメラ１によるリモコン撮影時に手ブレなどがあって、撮影結果の画像が不良と判断された場合には、リモコン対象の電子カメラ１からリモコンＮＧ信号が送られる。このリモコンＮＧ信号を受信した場合には、ＬＣＤモニタ１７に図１２に示すように「リモコンＮＧ」を表示する。
【００７４】
また、リモコン対象の電子カメラ１、すなわち実際に撮影を行う電子カメラ１のメモリカード５１の記録容量が不足しており、撮影した画像を記録できない場合には、リモコン対象の電子カメラ１からメモリ不足信号が送られる。このメモリ不足信号を受信した場合には、ＬＣＤモニタ１７に「撮影側カメラのメモリ不足」を表示する。ペアリング相手の電子カメラ１でリモコン撮影を行う場合には、撮影側電子カメラ１の画像記録容量が不足していても、リモコン撮影要求側の電子カメラ１に画像を記録することができるため、単独撮影時のように記録容量不足による撮影中止の必要はない。ＬＣＤモニタ１７に「撮影側カメラのメモリ不足」が表示された場合には、リモコン撮影を要求した撮影者は自身の電子カメラ１のメモリカード５１にリモコン撮影画像を記録すればよい。
【００７５】
ステップ１０でリモコン撮影で得られた表示中の画像をリモコン撮影者の電子カメラ１に記録するか否かの問いかけをＬＣＤモニタ１７に表示し、リモコン撮影者によるＯＫスイッチ２３の押下操作があれば記録するものと判断してステップ１１へ進み、画像データを含む画像ファイルを生成し、続くステップ１２で画像ファイルをメモリカード５１のペアホルダに記録する。なお、画像ファイルのヘッダ領域には、ペアリング相手のカメラＩＤなどの識別情報、撮影時刻、リモコン撮影画像を示すフラグなどが記録される。
【００７６】
リモコン対象の電子カメラ１によりリモコン撮影と同時に自身の電子カメラ１でも撮影を行った場合には、撮像素子１２からＡＦＥ回路１３を介して画像データを読み出し、画像処理回路１４により所定の画像処理を行った後、画像データを含む画像ファイルを生成し、画像ファイルをメモリカード５１のペアホルダに記録する。なお、この画像ファイルのヘッダ領域には、ペアリング相手のカメラＩＤなどの識別情報、撮影時刻、リモコン撮影と同時に撮影した画像であることを示すフラグなどが記録される。
【００７７】
次に、ペアリング相手からリモコン撮影要求を受けた場合の動作を説明する。ステップ１でリモコン撮影モードが設定されていない場合は図１０のステップ２１へ進み、ペアリング相手の電子カメラ１からリモコン撮影の要求コマンドを受信したか否かを確認する。この要求コマンドにはリモコン撮影要求側の電子カメラ１の識別情報が含まれており、要求コマンドを受信した電子カメラ１のＣＰＵ２０はリモコン撮影を要求しているのがペアリング相手か否かを確認することができる。
【００７８】
リモコン撮影の要求コマンドを受信していない場合はリモコン撮影プログラムの実行を終了する。リモコン撮影の要求コマンドを受信した場合はステップ２２へ進み、撮影者がリモコン撮影要求を受諾するか否かを確認する。撮影者がＯＫスイッチ２３ｈを押下操作した場合は受諾するものとしてステップ２４へ進み、通信制御回路２２を介してリモコン撮影要求側の電子カメラ１へ受諾信号を送信し、リモコン撮影モードを設定する。
【００７９】
上述したように、リモコン撮影要求側の電子カメラ１のＬＣＤモニタ１７には図１１に示すような「リモコンＯＫ」が表示される。一方、撮影者によるＯＫスイッチ２３ｈの押下操作がない場合はステップ２３へ進み、リモコン撮影要求側の電子カメラ１へ拒否信号を送信する。このとき、リモコン撮影要求側の電子カメラ１のＬＣＤモニタ１７には図１２に示すような「リモコンＮＧ」が表示される。
【００８０】
リモコン撮影要求を受諾した場合は、ステップ２５で通信制御回路２２を介してリモコン撮影要求側の電子カメラ１へスルー画像の送信を開始する。ステップ２６ではリモコン撮影要求側の電子カメラ１からリモコン撮影ガイドを受信し、ＬＣＤモニタ１７に表示する。このリモコン撮影ガイドにおいても、ＬＣＤモニタ１７により表示ガイドを行うとともに、スピーカ駆動回路１５とスピーカ１６により音声ガイドを行う。
【００８１】
リモコン撮影ガイドについては、図１３〜図１９によりすでに詳細を説明したのでここではそれらの説明を省略するが、リモコン撮影要求を受けて実際に撮影する側の電子カメラ１では、リモコン撮影要求側の電子カメラ１から送られてくるリモコン撮影ガイド信号、すなわちズームガイド信号とアングルガイド信号に応じたズームガイドとアングルガイドを図１３〜図１９に示すようにＬＣＤモニタ１７のスルー画像に重畳して表示する。実際に撮影する側の電子カメラ１を保持する撮影者はＬＣＤモニタ１７に表示されたガイド表示にしたがって移動し、撮影画角および撮影アングルを変更する。そして、ＬＣＤモニタ１７に図１５、図１７および図１９に示すように「ＯＫ」が表示されたら撮影画角と撮影アングルの調整を終了する。
【００８２】
リモコン撮影ガイド処理を終了した後、ステップ２７でリモコン撮影要求側の電子カメラ１からレリーズ信号を受信したか否かを確認する。上述したしたように、このレリーズ信号は、リモコン撮影要求側の電子カメラ１のリモコン撮影に代用されるＯＫスイッチ２３ｈ（または新設されたリモコン撮影専用のレリーズスイッチ）が押下操作されたときに送信される信号である。
【００８３】
なお、リモコン撮影要求側の電子カメラ１からレリーズ信号を受信したときに、手ブレ検知センサ（不図示）により手ブレ状態を検知した場合には、撮像を中止するとともに、リモコン撮影要求側の電子カメラ１へリモコン撮影不可信号を送信するようにしてもよい。このリモコン撮影不可信号を受信したリモコン撮影要求側の電子カメラ１のＣＰＵ２０は、ＬＣＤモニタ１７に図１２に示すような「リモコンＮＧ」を表示する。
【００８４】
レリーズ信号を受信していない場合はステップ３６へ進み、リモコン撮影要求側の電子カメラ１からリモコン撮影終了信号を受信したか否かを確認する。リモコン撮影終了信号を受信した場合はステップ３７へ進み、リモコン撮影要求側の電子カメラ１へのスルー画像の送信を終了し、リモコン撮影処理を終了する。なお、レリーズ信号およびリモコン撮影終了信号を受信していない場合はステップ２６へ進み、上述した処理を繰り返す。
【００８５】
リモコン撮影要求側の電子カメラ１からレリーズ信号を受信した場合はステップ２８へ進み、所定の自動露出演算（ＡＥ）および自動焦点調節（ＡＦ）を行った後、ステップ２９で撮像素子１２（図１参照）により撮像を行う。続くステップ３０では撮像素子１２からＡＦＥ回路１３を介して画像データを読み出し、画像処理回路１４により所定の画像処理を行う。
【００８６】
ステップ３１においてリモコン撮影した画像が良好か否かを判別する。例えば、リモコン撮影画像に対してコントラスト抽出や輪郭抽出処理を施し、検出結果に基づいて画質が良好か否かを判定する。リモコン撮影時に手ブレがあって画質が良好でないと判定される場合や、撮影画像が暗いと判定される場合にはステップ３５へ進み、リモコン撮影要求側の電子カメラ１へ画像不良信号を送信する。上述したように、この画像不良信号を受信したリモコン要求側の電子カメラ１は、ＬＣＤモニタ１７に「リモコンＮＧ」を表示し、リモコン撮影者に報知する。
【００８７】
リモコン撮影した画像が良好と判定された場合はステップ３２へ進み、画像データを含む画像ファイルを生成し、続くステップ３３で画像ファイルをメモリカード５１のペアホルダに記録する。なお、画像ファイルのヘッダ領域には、ペアリング相手のカメラＩＤなどの識別情報、撮影時刻、リモコン撮影画像を示すフラグなどが記録される。
【００８８】
リモコン撮影側のメモリカード５１の記録容量が不足してリモコン撮影画像が記録できない場合には、リモコン撮影要求側の電子カメラ１へメモリ不足信号を送信し、リモコン撮影要求側のメモリカード５１にリモコン撮影画像を記録するように促す。このメモリ不足信号を受信したリモコン撮影要求側の電子カメラ１は、ＬＣＤモニタ１７に「撮影側カメラのメモリ不足」を表示する。
【００８９】
ステップ３４で通信制御回路２２を介してリモコン撮影要求側の電子カメラ１へリモコン撮影した画像を送信し、リモコン撮影処理を終了する。
【００９０】
上述した一実施の形態では、ペアリング相手の電子カメラ１によりリモコン撮影を行う例を示したが、ペアリング相手の電子カメラ１の照明装置２８（図１参照）を外部照明装置として用い、自身の電子カメラ１で被写体を照明しながら撮影を行うときに、ペアリング相手の電子カメラ１の照明装置２８を発光させる。もちろん、自身の電子カメラ１の照明装置２８とペアリング相手の電子カメラ１の照明装置２８とを同時に発光させることによって、異なる照明効果の撮影を実現することもできる。
【００９１】
上記の協調照明撮影を行う場合には、予め図３に示す操作メニュー画面からリモコン照明モードを選択し、ＯＫスイッチ２３ｈの押下操作によりリモコン照明モードを設定し、ペアリング相手の電子カメラ１との間で協調照明撮影関係を成立させておく。そして、レリーズボタン２３ａの押下操作があると、通信制御回路２２を介してペアリング相手の電子カメラ１へ発光指令信号を送信し、ペアリング相手の電子カメラ１の照明装置２８を発光させる。
【００９２】
リモコン撮影時、あるいは協調撮影時に、電子カメラ１のマイク２６および音声処理回路２５により音声を集音するとともに、ペアリング相手の電子カメラ１のマイク２６および音声処理回路２５により音声を集音し、ステレオ音声として画像とともに記録するようにしてもよい。
【００９３】
上述した一実施の形態では本願発明のリモコン撮影機能を電子カメラに搭載した例を示したが、携帯電話機やモバイルＰＣなどの電子機器に本願発明のリモコン撮影機能を搭載してもよい。
【００９４】
上述した一実施の形態では静止画撮影を例に挙げて説明したが、動画撮影も同様に行うことができる。なお、動画録画時には、ペアリング相手の電子カメラ１に録音を指示し、録音音声を収納した音声ファイルを生成させる。この音声ファイルのヘッダ領域には、ペアリング相手の電子カメラ１の識別情報、録音時刻、ペアリング相手からの指示による録音であることを示すフラグなどを記録する。
【００９５】
なお、上述した実施の形態とそれらの変形例において、実施の形態どうし、または実施の形態と変形例とのあらゆる組み合わせが可能である。
【００９６】
上述した一実施の形態とその変形例によれば、以下のような作用効果を奏することができる。まず、電子カメラ１に、被写体の像を撮像する撮像素子１２と、画像を含む情報を表示するＬＣＤモニタ１７と、撮像素子１２に撮像を行わせるためのレリーズボタン２３ａと、少なくとも撮像部と通信部を有する外部撮像装置との間で通信を行う通信制御回路２２と、レリーズボタン２３ａとは別個のレリーズ操作部材であって、通信制御回路２２を介して外部撮像装置へレリーズ信号を送信して撮像部に撮像を行わせるためのＯＫスイッチ２３ｈとを備えることによって、外部撮像装置を遠隔操作して的確に撮影を行うことができる。
【００９７】
なお、レリーズボタン２３ａと外部撮像装置用レリーズ操作部材とを近接して配置することによって、自身の電子カメラ１と外部撮像装置とを人差し指で同時に操作することができる。
【００９８】
一実施の形態とその変形例によれば、遠隔操作撮影モードの設定時に、通信制御回路２２を介して外部撮像装置から撮像部で撮像されたスルー画像を受信してＬＣＤモニタ１７に表示し、外部撮像装置用レリーズ操作部材であるＯＫスイッチ２３ｈが操作されると、通信制御回路２２を介して外部撮像装置へレリーズ信号を送信して撮像部に撮像を行わせるようにしたので、手元の電子カメラ１のＬＣＤモニタ１７でリモコン対象の電子カメラで撮影されたスルー画を見ながら、最適なシャッターチャンスでリモコン対象の電子カメラをレリーズすることができる。
【００９９】
一実施の形態とその変形例によれば、撮像素子１２による撮像範囲の拡大または縮小を調節するためのズームスイッチＴ２３ｂとズームスイッチＷ２３ｃを設け、遠隔操作撮影モードの設定時にズームスイッチＴ２３ｂまたはズームスイッチＷ２３ｃが操作されると、通信制御回路２２を介して外部撮像装置へ撮像部の撮像範囲の拡大または縮小を指示する信号を送信するようにしたので、リモコン撮影者が意図する被写体人物の撮影画角をリモコン対象の電子カメラの撮影者に的確に指示することができる。
【０１００】
一実施の形態とその変形例によれば、十字スイッチ２３ｇを設け、遠隔操作撮影モードの設定時に十字スイッチ２３ｇがいずれかの方向へ操作されると、通信制御回路２２を介して外部撮像装置へ十字スイッチ２３ｇの操作方向に応じた撮影アングルを指示する信号を送信するようにしたので、リモコン撮影者が意図する被写体人物の撮影アングルをリモコン対象の電子カメラの撮影者に的確に指示することができる。
【０１０１】
一実施の形態とその変形例によれば、電子カメラ１に、被写体の像を撮像する撮像素子１２と、画像を含む情報を表示するＬＣＤモニタ１７と、撮像素子１２に撮像を行わせるためのレリーズボタン２３ａと、少なくとも撮像部と通信部を有する外部撮像装置との間で通信を行う通信制御回路２２と、遠隔操作撮影モードの設定時に、通信制御回路２２を介して外部撮像装置へ撮像素子１２で撮像されたスルー画像を送信するとともに、外部撮像装置からレリーズ信号を受信したときにレリーズボタン２３ａの操作がなくても撮像素子１２により撮像を行うようにしたので、外部撮像装置からの遠隔操作で的確に撮影を行うことができる。
【０１０２】
一実施の形態とその変形例によれば、遠隔操作撮影モードの設定時に、通信制御回路２２を介して外部撮像装置から撮像素子１２の撮像範囲の拡大または縮小を指示する信号を受信した場合は、ＬＣＤモニタ１７に撮像範囲の拡大または縮小を指示する情報を表示するようにしたので、外部撮像装置からの遠隔操作でリモコン撮影者が意図する被写体人物の撮影画角をリモコン対象の電子カメラの撮影者に的確に指示することができる。
【０１０３】
一実施の形態とその変形例によれば、遠隔操作撮影モードの設定時に、通信制御回路２２を介して外部撮像装置から撮影アングルを指示する信号を受信した場合は、ＬＣＤモニタ１７に撮像アングルを指示する情報を表示するようにしたので、外部撮像装置からの遠隔操作でリモコン撮影者が意図する被写体人物の撮影アングルをリモコン対象の電子カメラの撮影者に的確に指示することができる。
【符号の説明】
【０１０４】
１；電子カメラ、１１；撮影光学系、１２；撮像素子、１７；ＬＣＤモニタ、２０；ＣＰＵ、２２；通信制御回路、２２ａ；アンテナ、２３ａ；レリーズボタン、２３ｇ；十字スイッチ、２３ｈ；ＯＫスイッチ
【図１】
2011172094.tif 000003
【図２】
2011172094.tif 000004
【図３】
2011172094.tif 000005
【図４】
2011172094.tif 000006
【図５】
2011172094.tif 000007
【図６】
2011172094.tif 000008
【図７】
2011172094.tif 000009
【図８】
2011172094.tif 000010
【図９】
2011172094.tif 000011
【図１０】
2011172094.tif 000012
【図１１】
2011172094.tif 000013
【図１２】
2011172094.tif 000014
【図１３】
2011172094.tif 000015
【図１４】
2011172094.tif 000016
【図１５】
2011172094.tif 000017
【図１６】
2011172094.tif 000018
【図１７】
2011172094.tif 000019
【図１８】
2011172094.tif 000020
【図１９】
2011172094.tif 000021